(57)【要約】【課題】湯と冷水を同時に提供可能で、運転効率を向上させ、電気代を削減することのできるヒートポンプ給湯機を提供できるようにする。【解決手段】ヒートポンプ給湯機運転時には、高温冷媒対水用熱交換器２で水と高温冷媒が熱交換され、加熱された湯は貯湯タンク８ａに貯留される。同時に低温冷媒対水用熱交換器４で水と低温冷媒が熱交換され、冷却された冷水は貯湯タンク８ｂに貯留される。これにより、湯と冷水を同時に生成することが可能となり、風呂等で湯を利用しながら、夏期等の湯の利用量が少ない季節には空調用に冷水を利用することができるため、運転効率を向上させ、ランニングコストを低減させたヒートポンプ給湯機を提供できる。【選択図】図１
2006162086.tif 000002
【特許請求の範囲】
【請求項１】
圧縮機、高温の熱媒体と被熱交換液とが熱交換される高温冷媒対水用熱交換器、減圧装置、冷媒対空気用熱交換器を順次接続した冷媒回路と、前記冷媒対空気用熱交換器に接続され低温の熱媒体と被熱交換液とが熱交換される低温冷媒対水用熱交換器とを備え、前記高温冷媒対水用熱交換器と前記低温冷媒対水用熱交換器とにて同時に熱媒体と被熱交換液とが熱交換される構成としたヒートポンプ給湯機。
【請求項２】
圧縮機と高温冷媒対水用熱交換器との間、および前記高温冷媒対水用熱交換器と減圧装置との間、および前記減圧装置と低温冷媒対水用熱交換器との間、および前記低温冷媒対水用熱交換器と前記圧縮機との間に三方弁を配設し、前記複数の三方弁の一方と冷媒対空気用熱交換器とを接続する構成とした請求項１記載のヒートポンプ給湯機。
【請求項３】
高温冷媒対水用熱交換器、低温冷媒対水用熱交換器にそれぞれ接続された貯湯部を備え、前記複数の貯湯部のうち、前記高温冷媒対水用熱交換器と接続された貯湯部の入水経路および出水経路に水側三方弁を配設し、前記高温冷媒対水用熱交換器への入口経路および前記低温冷媒対水用熱交換器への入口経路に循環ポンプを配設する構成とした請求項１または２記載のヒートポンプ給湯機。
【請求項４】
高温冷媒対水用熱交換器、低温冷媒対水用熱交換器にそれぞれ接続された貯湯部を備え、前記複数の貯湯部のうち、すべての貯湯部の入水経路および出水経路に三方弁を配設し、前記高温冷媒対水用熱交換器への入口経路および前記低温冷媒対水用熱交換器への入口経路に循環ポンプを配設する構成とした請求項１または２記載のヒートポンプ給湯機。
【請求項５】
熱媒体が二酸化炭素であることを特徴とする請求項１〜４のいずれか１項に記載のヒートポンプ給湯機。
【発明の詳細な説明】
【技術分野】
【０００１】
本発明は、貯湯用のタンクを備えるヒートポンプ給湯機に関するものである。
【背景技術】
【０００２】
現在、給湯機としてはガスや電気ヒータを用いて水を加熱する方式のものが大勢的であるが、近年のエネルギー利用効率化の要望の観点からヒートポンプを利用した給湯機も徐々に一般世帯に普及していっている。また最近は、単に湯を直接利用するだけではなく、湯を利用して床下暖房や部屋暖房、浴室乾燥を行う多機能型と呼ばれるタイプのものも普及が進んでいる。
【０００３】
図５に従来のヒートポンプ給湯機の構成図を示す。ヒートポンプ給湯機の場合、圧縮機１で高温・高圧に加熱された冷媒は高温冷媒対水用熱交換器２で循環ポンプ７にて貯湯タンク８から送られてきた水と熱交換される。この結果、水は加熱されて湯になり、同時に冷媒温度は低下する。湯は再び貯湯タンク８に戻され、利用されるまで貯湯タンク８に貯留される。温度の下がった冷媒は減圧装置３を通じることにより低温・低圧の二相流に変化し、蒸発器４へ送られる。前記蒸発器４では送風ファン９によって強制的に大気から熱を奪うことにより内部の冷媒は蒸発し、気化する。気化した冷媒は再び圧縮機１に吸い込まれ、高温・高圧に加熱されることにより再び水を加熱していく。
【０００４】
この運転を繰り返していくにつれ、貯湯タンク８内は充分に加熱された湯で満たされていく。貯湯タンク８内の湯はコントローラー（図示せず）にて設定された温度で出湯するために混合弁（図示せず）で水道水と混ぜられ、所定の温度で各部の蛇口や床下暖房系、部屋暖房系、浴室乾燥系へ送られ、利用される。
【０００５】
ここで、夏期等の冷房負荷が増加する季節には電力需要のピーク緩和および冷房使用による電気代削減のため、ヒートポンプ給湯機の低圧側で生成される冷熱を用いて水を冷却し、貯湯タンクに貯留ののち、冷房に使用するような構成も考えられており、貯水と貯湯の両方が可能な貯水、貯湯式給湯装置も公開されている（例えば、特許文献１参照）。
【特許文献１】特開平６−１５９８４５号公報
【発明の開示】
【発明が解決しようとする課題】
【０００６】
しかしながら、上記従来の貯水、貯湯式給湯装置は、水を加熱または冷却するのに使用される冷媒対水用熱交換器は１つしか配設されていないため、湯と水を同時に作ることは不可能であり、一度湯を作成した後、水を作成するといった工程が必要となる。
【０００７】
本発明は、上記従来の課題を解決するもので、高温冷媒、低温冷媒と水とを同時に熱交換させることにより、運転効率を向上させ、ランニングコストを低減させたヒートポンプ給湯機を提供することを目的とする。
【課題を解決するための手段】
【０００８】
前記従来の課題を解決するために、本発明のヒートポンプ給湯機は、圧縮機、高温の熱媒体と被熱交換液とが熱交換される高温冷媒対水用熱交換器、減圧装置、冷媒対空気用熱交換器を順次接続した冷媒回路と、前記冷媒対空気用熱交換器に接続され低温の熱媒体と被熱交換液とが熱交換される低温冷媒対水用熱交換器とを備え、前記高温冷媒対水用熱交換器と前記低温冷媒対水用熱交換器とにて同時に熱媒体と被熱交換液とが熱交換される構成としたもので、湯と同時に冷水を生成することが可能となる。
【発明の効果】
【０００９】
本発明のヒートポンプ給湯機は、湯と冷水を同時に生成することにより運転効率の向上と電気代の削減が可能となる。
【発明を実施するための最良の形態】
【００１０】
第１の発明は、圧縮機、高温の熱媒体と被熱交換液とが熱交換される高温冷媒対水用熱交換器、減圧装置、冷媒対空気用熱交換器を順次接続した冷媒回路と、前記冷媒対空気用熱交換器に接続され低温の熱媒体と被熱交換液とが熱交換される低温冷媒対水用熱交換器とを備え、前記高温冷媒対水用熱交換器と前記低温冷媒対水用熱交換器とにて同時に熱媒体と被熱交換液とが熱交換される構成としたもので、湯と同時に冷水を生成することが可能となり、運転効率を向上し電気代を削減することができる。
【００１１】
第２の発明は、圧縮機と高温冷媒対水用熱交換器との間、および前記高温冷媒対水用熱交換器と減圧装置との間、および前記減圧装置と低温冷媒対水用熱交換器との間、および前記低温冷媒対水用熱交換器と前記圧縮機との間に三方弁を配設し、前記複数の三方弁の一方と冷媒対空気用熱交換器とを接続する構成としたもので、冷媒対空気用熱交換器を蒸発器としてだけではなく、放熱器として使用することが可能となり、湯の使用量よりも冷水の使用量が多い場合にもヒートポンプの運転を継続することができる。
【００１２】
第３の発明は、高温冷媒対水用熱交換器、低温冷媒対水用熱交換器にそれぞれ接続された貯湯部を備え、前記複数の貯湯部のうち、前記高温冷媒対水用熱交換器と接続された貯湯部の入水経路および出水経路に水側三方弁を配設し、前記高温冷媒対水用熱交換器への入口経路および前記低温冷媒対水用熱交換器への入口経路に循環ポンプを配設する構成としたもので、複数の貯湯部をすべて貯湯用に使用するか、もしくは１つを冷水貯留用にするかを容易に切りかえることが可能となる。
【００１３】
第４の発明は、高温冷媒対水用熱交換器、低温冷媒対水用熱交換器にそれぞれ接続された貯湯部を備え、前記複数の貯湯部のうち、すべての貯湯部の入水経路および出水経路に三方弁を配設し、前記高温冷媒対水用熱交換器への入口経路および前記低温冷媒対水用熱交換器への入口経路に循環ポンプを配設する構成としたもので、貯湯部のすべてを冷水貯留用にするなど、より柔軟な使用方法が可能となる。
【００１４】
第５の発明は、熱媒体が二酸化炭素であることを特徴とするもので、高温高効率の貯湯運転と地球環境保全を実現することができる。
【００１５】
以下、本発明の実施の形態について、図面を参照しながら説明する。なお、本実施の形態によって本発明が限定されるものではない。
【００１６】
（実施の形態１）
図１は本発明の実施の形態１におけるヒートポンプ給湯機の構成図である。また、本発明のヒートポンプ給湯機に用いる冷媒（熱媒体）としては、従来広く用いられているＲ２２等のフロン系冷媒でも良いが、オゾン層保全及び地球温暖化防止等の環境保護的側面から近年盛んに研究されている自然冷媒である二酸化炭素冷媒の方が、より大きな効果を得ることが可能であるため、以下では、冷媒として二酸化炭素を用いるが、その他の冷媒であってもよいものである。
【００１７】
ヒートポンプ給湯機は、圧縮機１、高温冷媒対水用熱交換器２、減圧装置３、低温冷媒対水用熱交換器４、冷媒対空気用熱交換器５、電磁弁６ａ、６ｂからなる冷媒循環回路Ａと、前記高温冷媒対水用熱交換器２、低温冷媒対水用熱交換器４、循環ポンプ７ａ、７ｂ
、貯湯部である貯湯タンク８ａ、８ｂを接続した給湯回路Ｂからなり、前記圧縮機１、冷媒対水用熱交換器２、減圧装置３、低温冷媒対水用熱交換器４、冷媒対空気用熱交換器５、電磁弁６ａ、６ｂ、送風ファン９等はヒートポンプユニット内に収容されている。また、前記循環ポンプ７ａ、７ｂ、貯湯タンク８ａ、８ｂ、制御手段（図示せず）等はタンクユニット内に収容されている。
【００１８】
入水温検知手段１０ａ、１０ｂは、高温冷媒対水用熱交換器２および低温冷媒対水用熱交換器４の水側入口に設置されており、貯湯タンク８ａ、８ｂから供給された入水温度を検出する。出水温検知手段１１ａ、１１ｂは、高温冷媒対水用熱交換器２および低温冷媒対水用熱交換器４の水側出口に設置されており、ヒートポンプ給湯機で加熱および冷却された出水温度を検出する。制御手段は、室内に設置されているコントローラー（図示せず）で設定された温度と前記出水温検知手段１１ａ、１１ｂで検知している温度が等しくなるように圧縮機１の運転周波数、減圧装置３の開度、循環ポンプ７ａ、７ｂの回転数、送風ファン９の回転数等を制御する。
【００１９】
上記のヒートポンプ給湯機では、前記圧縮機１より圧縮され吐出された高温・高圧の過熱ガス冷媒は、前記高温冷媒対水用熱交換器２に流入し、ここで水道から貯湯タンク８ａを通じて前記循環ポンプ７ａから送られてきた水を加熱する。二酸化炭素冷媒は凝縮域がなく超臨界域で熱交換されるため、冷媒温度は前記高温冷媒対水用熱交換器２内で緩やかに低下し、前記減圧装置３で減圧される。ここで、貯湯タンク８ｂに充分な冷水が貯留されていない場合、前記冷媒対空気用熱交換器５に通じる経路中の電磁弁６ｂは閉じられ、冷媒は前記冷媒対空気用熱交換器５に並列に接続された前記低温冷媒対水用熱交換器４に流入する。
【００２０】
低温冷媒対水用熱交換器４では、水道から貯湯タンク８ｂを通じて前記循環ポンプ７ｂから送られてきた水を冷却し、冷媒は水から熱を吸熱して蒸発ガス化し、前記圧縮機１へ戻る。また、貯湯タンク８ｂに充分な冷水が貯留されており冷水を作る必要がない場合、低温冷媒対水用熱交換器４に通じる経路中の電磁弁６ａは閉じられ、冷媒は冷媒対空気用熱交換器５に流入する。冷媒対空気用熱交換器５では、送風ファン７によって強制的に大気から熱を奪うことにより蒸発ガス化し、前記圧縮機１へ戻る。
【００２１】
前記高温冷媒対水用熱交換器２で加熱された湯は、前記貯湯タンク８ａの上部に流入し、貯留され、必要に応じて利用部へ供給される。また、前記低温冷媒対水用熱交換器４で冷却された冷水は、前記貯湯タンク８ｂの下部に流入し、貯留され、必要に応じて利用部へ供給される。
【００２２】
以上より、本実施の形態によれば、湯と同時に冷水を生成することが可能となり、運転効率を向上し電気代を削減することができる。なお、流路の切り替えに複数の電磁弁ではなく、三方弁等他の手段を用いても何ら問題はない。また、本実施の形態に示した各種材料や数値などは必ずしもこれに限定されるものではなく、所定の役割を果たすことができるならば別の材料や数値で何ら問題はない。
【００２３】
（実施の形態２）
図２は本発明の実施の形態２におけるヒートポンプ給湯機の構成図である。ヒートポンプ給湯機の構造は、上記実施の形態１に対して、電磁弁の代わりに圧縮機１と高温冷媒対水用熱交換器２の間、および前記高温冷媒対水用熱交換器２と減圧装置３の間、および前記減圧装置３と低温冷媒対水用熱交換器４の間、および前記低温冷媒対水用熱交換器４と前記圧縮機１の間にそれぞれ三方弁１２ａ、１２ｂ、１２ｃ、１２ｄを設置し、前記三方弁１２ａ、１２ｂ、１２ｃ、１２ｄのそれぞれ一方と冷媒対空気用熱交換器５を接続した以外は実施の形態１と同様である。
【００２４】
まず貯湯タンク８ａ、８ｂに充分な湯および冷水が貯留されていない場合、前記圧縮機１より吐出された高温・高圧の過熱ガス冷媒は、三方弁１２ａにより前記高温冷媒対水用熱交換器２に流入し、ここで水道から貯湯タンク８ａを通じて循環ポンプ７ａから送られてきた水を加熱する。冷媒温度は前記高温冷媒対水用熱交換器２内で緩やかに低下し、三方弁１２ｂを通じて前記減圧装置３で減圧され、三方弁１２ｃにより冷媒は前記低温冷媒対水用熱交換器４に流入する。低温冷媒対水用熱交換器４では、水道から貯湯タンク８ｂを通じて前記循環ポンプ７ｂから送られてきた水を冷却し、冷媒は水から熱を吸熱して蒸発ガス化し、三方弁１２ｄを通じて前記圧縮機１へ戻る。
【００２５】
貯湯タンク８ａに充分な湯が貯留されているが、貯湯タンク８ｂに充分な冷水が貯留されていない場合、前記圧縮機１より吐出された高温・高圧の過熱ガス冷媒は、三方弁１２ａにより冷媒対空気用熱交換器５に送られる。冷媒対空気用熱交換器５では、送風ファン７によって強制的に冷媒から熱を奪い低温冷媒とした後、三方弁１２ｂを通じて前記減圧装置３で減圧され、三方弁１２ｃにより冷媒は前記低温冷媒対水用熱交換器４に流入する。低温冷媒対水用熱交換器４では、水道から貯湯タンク８ｂを通じて前記循環ポンプ７ｂから送られてきた水を冷却し、冷媒は水から熱を吸熱して蒸発ガス化し、三方弁１２ｄを通じて前記圧縮機１へ戻る。
【００２６】
貯湯タンク８ｂに充分な冷水が貯留されているが、貯湯タンク８ａに充分な湯が貯留されていない場合、前記圧縮機１より吐出された高温・高圧の過熱ガス冷媒は、三方弁１２ａを通じて前記高温冷媒対水用熱交換器２に流入し、ここで水道から貯湯タンク８ａを通じて前記循環ポンプ７ａから送られてきた水を加熱する。冷媒温度は前記高温冷媒対水用熱交換器２内で緩やかに低下し、三方弁１２ｂを通じて前記減圧装置３で減圧され、三方弁１２ｃにより冷媒は前記冷媒対空気用熱交換器５に流入する。冷媒対空気用熱交換器５では、送風ファン７によって強制的に大気から熱を奪うことにより蒸発ガス化し、前記圧縮機１へ戻る。
【００２７】
貯湯タンク８ａ、８ｂに充分な湯および冷水が貯留されている場合、ヒートポンプ給湯機は運転を行わない。
【００２８】
以上より、本実施の形態によれば、冷媒対空気用熱交換器を蒸発器としてだけではなく、放熱器として使用することが可能となり、湯の使用量よりも冷水の使用量が多い場合にもヒートポンプの運転を継続することができる。なお、流路の切り替えには三方弁以外に電磁弁等他の手段を用いても何ら問題はない。なお、本実施の形態に示した各種材料や数値などは必ずしもこれに限定されるものではなく、所定の役割を果たすことができるならば別の材料や数値で何ら問題はない。
【００２９】
（実施の形態３）
図３は本発明の実施の形態３におけるヒートポンプ給湯機の給湯回路の構成図である。冷媒循環回路Ａについては実施の形態１または実施の形態２と同一である。
【００３０】
給湯回路Ｂについて説明する。貯湯専用として使用される貯湯タンク８ａの下部には水道からの給水部１３が接続される。ヒートポンプ運転時は、貯湯タンク８ａの下部から流出する水は水側三方弁１４ａを通じ循環ポンプ７ａを介して高温冷媒対水用熱交換器２に送られる。ここで高温冷媒と熱交換し加熱された湯は水側三方弁１４ｂを通じ貯湯タンク８ａの上部から戻り、貯湯タンク８ａ内に貯留される。
【００３１】
貯湯貯水兼用として使用される貯湯タンク８ｂが貯水用として使用される場合、給水部１３から水側三方弁１４ｃを通じて貯湯タンク８ｂの上部に水を供給し、低温水利用部へ
冷水を送るため水側電磁弁１５ａが開けられ、高温水利用部への経路にある水側電磁弁１５ｂが閉じられる。ヒートポンプ運転時は、貯湯タンク８ｂの上部から流出する水は循環ポンプ７ｂを介して低温冷媒対水用熱交換器４に送られる。ここで低温冷媒と熱交換し冷却された冷水は貯湯タンク８ｂの下部から戻り、貯湯タンク８ｂ内に貯留される。
【００３２】
貯湯貯水兼用として使用される貯湯タンク８ｂが貯湯用として使用される場合、給水部１３から水側三方弁１４ｃを通じて貯湯タンク８ｂの下部に水を供給し、高温水利用部へ温水を送るため水側電磁弁１５ｂが開けられ、低温水利用部への経路にある水側電磁弁１５ａが閉じられる。ヒートポンプ運転時は、貯湯タンク８ｂの下部から流出する水は水側三方弁１４ａを通じ循環ポンプ７ａを介して高温冷媒対水用熱交換器２に送られる。ここで高温冷媒と熱交換し加熱された湯は水側三方弁１４ｂを通じ貯湯タンク８ｂの上部から戻り、貯湯タンク８ｂ内に貯留される。
【００３３】
以上より、本実施の形態によれば、複数の貯湯タンクをすべて貯湯用に使用するか、もしくは１つを冷水貯留用にするかを容易に切りかえることが可能となる。なお、流路の切り替えには三方弁以外に電磁弁等他の手段を用いても何ら問題はない。なお、本実施の形態に示した各種材料や数値などは必ずしもこれに限定されるものではなく、所定の役割を果たすことができるならば別の材料や数値で何ら問題はない。
【００３４】
（実施の形態４）
図４は本発明の実施の形態４におけるヒートポンプ給湯機の給湯回路の構成図である。冷媒循環回路については実施の形態１または実施の形態２と同一である。
【００３５】
給湯回路Ｂについて説明する。貯湯タンク８ａ、８ｂがともに貯湯用として使用される場合、まず貯湯タンク８ａを湯で満たすため、給水部１３から水側三方弁１４ｄを通じて貯湯タンク８ａの下部に水を供給し、水側電磁弁１５ａ、１５ｂは閉じられ、低温水利用部への経路にある水側電磁弁１５ｃが閉じられ、高温水利用部への経路にある水側電磁弁１５ｄが開けられる。ヒートポンプ運転時は、貯湯タンク８ａの下部から流出する水は、水側三方弁１４ａを通じ循環ポンプ７ａを介して高温冷媒対水用熱交換器２に送られる。
【００３６】
ここで高温冷媒と熱交換し加熱された湯は水側三方弁１４ｂを通じ貯湯タンク８ａの上部から戻り、貯湯タンク８ａ内に貯留される。貯湯タンク８ａが湯で満たされると、次は貯湯タンク８ｂを湯で満たすため、給水部１３から水側三方弁１４ｃを通じて貯湯タンク８ｂの下部に水を供給し、水側電磁弁１５ｂが開けられる。ヒートポンプ運転時は、貯湯タンク８ｂの下部から流出する水は水側三方弁１４ｅおよび水側三方弁１４ａを通じ循環ポンプ７ａを介して高温冷媒対水用熱交換器２に送られる。ここで高温冷媒と熱交換し加熱された湯は水側三方弁１４ｂおよび１４ｆを通じ貯湯タンク８ｂの上部から戻り、貯湯タンク８ｂ内に貯留される。
【００３７】
貯湯タンク８ａが貯湯用、８ｂが貯水用として使用される場合、給水部１３から水側三方弁１４ｄを通じて貯湯タンク８ａの下部に水を供給し低温水利用部への経路にある水側電磁弁１５ｃが閉じられ、高温水利用部への経路にある水側電磁弁１５ｄが開けられる。同時に給水部１３から水側三方弁１４ｃを通じて貯湯タンク８ｂの上部に水を供給し高温水利用部への経路にある水側電磁弁１５ｂが閉じられ、低温水利用部への経路にある水側電磁弁１５ａが開けられる。ヒートポンプ運転時は、貯湯タンク８ａの下部から流出する水は水側三方弁１４ａを通じ循環ポンプ７ａを介して高温冷媒対水用熱交換器２に送られる。
【００３８】
ここで高温冷媒と熱交換し加熱された湯は、水側三方弁１４ｂを通じ貯湯タンク８ａの上部から戻り、貯湯タンク８ａ内に貯留される。また、貯湯タンク８ｂの上部から流出す
る水は水側三方弁１４ｆを通じ循環ポンプ７ｂを介して低温冷媒対水用熱交換器４に送られる。ここで低温冷媒と熱交換し冷却された冷水は水側三方弁１４ｅを通じ貯湯タンク８ｂの下部から戻り、貯湯タンク８ｂ内に貯留される。
【００３９】
貯湯タンク８ａ、８ｂがともに貯水用として使用される場合、まず貯湯タンク８ｂを冷水で満たすため、給水部１３から水側三方弁１４ｃを通じて貯湯タンク８ｂの上部に水を供給し、水側電磁弁１５ｃ、１５ｄは閉じられ、低温水利用部への経路にある水側電磁弁１５ａが開けられ、高温水利用部への経路にある水側電磁弁１５ｂが閉じられる。ヒートポンプ運転時は、貯湯タンク８ｂの上部から流出する水は水側三方弁１４ｆを通じ循環ポンプ７ｂを介して低温冷媒対水用熱交換器４に送られる。
【００４０】
ここで低温冷媒と熱交換し冷却された冷水は、水側三方弁１４ｅを通じ貯湯タンク８ｂの下部から戻り、貯湯タンク８ｂ内に貯留される。貯湯タンク８ｂが冷水で満たされると、次は貯湯タンク８ａを冷水で満たすため、給水部１３から水側三方弁１４ｄを通じて貯湯タンク８ａの上部に水を供給し、水側電磁弁１５ｃが開けられる。ヒートポンプ運転時は、貯湯タンク８ａの上部から流出する水は水側三方弁１４ｂおよび水側三方弁１４ｆを通じ循環ポンプ７ｂを介して低温冷媒対水用熱交換器４に送られる。ここで低温冷媒と熱交換し冷却された冷水は水側三方弁１４ｅおよび１４ａを通じ貯湯タンク８ａの下部から戻り、貯湯タンク８ａ内に貯留される。
【００４１】
以上より、本実施の形態によれば、貯湯部のすべてを冷水貯留用にするなど、より柔軟な使用方法が可能となる。なお、流路の切り替えには三方弁以外に電磁弁等他の手段を用いても何ら問題はない。なお、本実施の形態に示した各種材料や数値などは必ずしもこれに限定されるものではなく、所定の役割を果たすことができるならば別の材料や数値で何ら問題はない。
【産業上の利用可能性】
【００４２】
以上のように、本発明にかかるヒートポンプ給湯機は、高温側排熱、低温側排熱の両方とも有効活用できるため、冷凍システムを有する空調装置等にも適用できる。
【図面の簡単な説明】
【００４３】
【図１】本発明の実施の形態１におけるヒートポンプ給湯機の構成図
【図２】本発明の実施の形態２におけるヒートポンプ給湯機の構成図
【図３】本発明の実施の形態３におけるヒートポンプ給湯機の給湯回路の構成図
【図４】本発明の実施の形態４におけるヒートポンプ給湯機の給湯回路の構成図
【図５】従来のヒートポンプ給湯機の構成図
【符号の説明】
【００４４】
１  圧縮機
２  高温冷媒対水用熱交換器
３  減圧装置
４  低温冷媒対水用熱交換器
５  冷媒対空気用熱交換器
８  貯湯タンク（貯湯部）
１２  三方弁
１４  水側三方弁
【図１】
2006162086.tif 000003
【図２】
2006162086.tif 000004
【図３】
2006162086.tif 000005
【図４】
2006162086.tif 000006
【図５】
2006162086.tif 000007